(57)【要約】シリンジ用の針ガードであって、針の交換の間にルアーロックが回転するのを防止するように、ルアーロックに係合するように構成された針ガードに配置されたタブと好ましくはスプリングボードとを含む。針ガードの本体は、好ましくは、シールドが引っ込んだ状態の位置（第１の位置）にある場合、シールドに配置されたタブに接続するスプリングボードを含む。内向きまたは回転方向にタブを押圧すると、スプリングボードがルアーロックに接触し、ルアーロックが回転するのを防止する。針ガードは、本体の遠位端の近傍に配置されたエンドタブに係合するように構成された、シールドの近位端の近傍に配置されたスロットを更に含む。針ガードが作動すると、シールドが伸びた状態の位置（第２の位置）に摺動し、伸びた状態の位置にシールドをロックするようにエンドタブがスロットに入る。
2008518678.tif 000002
【特許請求の範囲】
【請求項１】
近位端と遠位端とを含み、近位端がプランジャーとストッパーとを収容するように構成されたシリンジ胴部と、
シリンジ胴部の遠位端に配置されるルアーロックと、
シリンジ胴部と組み合わされる針ガードであって、
シリンジ胴部を収納するように構成された本体と、
シリンジの遠位端から延在する針を露出するための引っ込んだ状態の位置と、針を実質的に覆うための伸びた状態の位置との間で摺動可能なシールドと、
を含む針ガードと、
針ガードの本体に配置され、ルアーロックに接続する１以上のスプリングボードと、
針ガードのシールドに配置され、シールドが引っ込んだ状態の位置にある場合、スプリングボードに接続する１以上の回転防止タブと、
を含むことを特徴とするシリンジシステム。
【請求項２】
シールドを伸びた状態の位置にバイアスするために、本体とシールドとの間に配置されるばねを更に含むことを特徴とする請求項１に記載のシリンジシステム。
【請求項３】
シールドが、シールドの近位端に配置される１以上のスロットを含み、本体が、遠位端の近傍に配置される１以上のタブを含み、シールドが伸びた状態の位置で実質的にロックされるように、シールドが伸びた状態の位置にある場合、タブがスロットに入るように構成されていることを特徴とする請求項１に記載のシリンジシステム。
【請求項４】
タブが、細長いフィンガーの端部に配置されることを特徴とする請求項３に記載のシリンジシステム。
【請求項５】
ルアーロックに取り付けられるルアー針を更に含むことを特徴とする請求項１に記載のシリンジシステム。
【請求項６】
ルアーロックを有するシリンジを用いて薬剤を投与する方法であって、
シリンジが受動的な針ガードと組み合わされ、受動的な針カードが、シリンジ胴部を収容するように構成された本体と、シリンジの遠位端から延在する針を露出するための引っ込んだ状態の位置と針を実質的に覆うための伸びた状態の位置との間で摺動可能なシールドと、を有し、
針ガードのシールドに配置される１以上の回転防止タブを押圧することにより、ルアーロックの回転を実質的に防止するように、１以上の回転防止タブが、針ガードの本体に配置されるスプリングボードに接触する工程と、
ルアー針をルアーロックに取り付ける工程と、
シリンジと接続するプランジャーを、遠位方向に押圧し、患者に薬剤を投与する工程と、
を含むこと特徴とする方法。
【請求項７】
シールドが伸びた状態の位置に自動的に進み得るように、受動的な針ガードを作動させるように、プランジャーを更に遠位方向に押圧することによりシールドに配置される１以上のラッチ部材を変形させる工程を更に含むことを特徴とする請求項６に記載の方法。
【請求項８】
ルアーロックからシリンジキャップを取り外す工程を更に含むことを特徴とする請求項６に記載の方法。
【請求項９】
ルアーロックからルアー針を取り外す工程を更に含むことを特徴とする請求項６に記載の方法。
【請求項１０】
遠位端と近位端とを含み、遠位端が１以上の回転防止タグを含むシールドと、
遠位端と近位端とを含む本体であって、遠位端が１以上のスプリングボードを含み、スプリングボードが回転防止タグと接続され、スプリングボードがシリンジのルアーロックに係合するように構成されている本体と、
を含むことを特徴とする針ガード。
【請求項１１】
シールドを伸びた状態の位置にバイアスするために、本体とシールドとの間に配置されたばねを更に含むことを特徴とする請求項１０に記載の針ガード。
【請求項１２】
開口した近位端と、開口した遠位端と、開口した近位端を通りシリンジを収容するための、本体の内部のキャビティーとを有する本体と、
遠位端と近位端とを有するシールドであって、本体に摺動可能に取り付けられ、内向きの圧力を与えた場合、ルアーロックが回転するのを防止するように構成される１以上の回転防止タブを有するシールドと、
を含む針ガード。
【請求項１３】
開口した近位端と、開口した遠位端と、開口した近位端を通りシリンジを収容するための、本体の内部のキャビティーとを有する本体と、
本体の遠位端の近傍に配置され、それぞれがエンドタブを有する１以上の細長いフィンガーと、
遠位端と近位端とを有するシールドであって、本体に摺動可能に取り付けられ、本体の遠位端から延在する針を露出するための引っ込んだ状態の位置と、針を実質的に覆うための伸びた状態の位置との間で摺動可能な、伸びた状態の位置に摺動するようにバイアスされたシールドと、
シールドの遠位領域に配置され、シールドが引っ込むのを防止するように、シールドが伸びた状態の位置にある場合、それぞれがエンドタブに係合するように構成されている１以上のスロットと、
を含むことを特徴とする受動的針ガード。
【請求項１４】
シールドを伸びた状態の位置にバイアスするために、本体とシールドとに取り付けられたばね機構を更に含むことを特徴とする請求項１３に記載の針ガード。
【発明の詳細な説明】
【技術分野】
【０００１】
本発明は、概して、受動的な（passive）針ガードを含むシリンジシステムに関する。とりわけ、受動的な針ガードを含むシリンジシステムであって、針をルアーロック(luer lock)のようなロックに取り付けている、または、取り外している間に、シリンジが回転するのを防止するように構成され、受動的な針ガードに配置された１以上のタブ(tab)を含むシリンジシステムに関する。
【背景技術】
【０００２】
多くの従来のシリンジシステムが、シリンジと組み合わされた（または、シリンジに取り付けられた、coupled with a syringe）針ガードを含み、偶発的に針が刺さるのを低減し、シリンジのより安全な廃棄を容易にしている。通常、針ガードは、シリンジを覆う本体とシールドとを含む。いくつかの針ガードは、針ガードが作動する場合、シールドを延びた状態の位置（extended position）にバイアスするばねを更に含む。従来の針ガードは、通常、針をシリンジに繋ぐコネクターとしてルアーロックを用いることを妨げている。ルアーロックは、シリンジの投与する側の端部、遠位端に接続するねじ切ったアタッチメントを含む。針をシリンジに取り付けるように、ユーザは、雄ねじを有するルアー針をルアーロックの雌ねじにねじ留めする。従来の針ガードの本体および／またはシールドは、シリンジに取り付けたルアーロックに、遠位側の開口部を介してアクセスできるが、しかし、通常、ユーザは、針の交換の際に、内向きまたは回転方向の圧力をルアーロックに加えることができない。従って、針ガードが取り付けられたシリンジシステムでは、ルアーロックの使用は困難であろう。
【発明の開示】
【発明が解決しようとする課題】
【０００３】
針ガードは、針の交換の間に、ルアーロックの回転を制限するように、ユーザがルアーロックを固定するのを妨げる。従来のシリンジシステムでは、ルアーロックが回転し、針交換が、不可能でないにしても、困難である。
【課題を解決するための手段】
【０００４】
本発明は、ルアーロックを有するシリンジに用いられる受動的な針ガードシステムに関する。本発明は、また、針交換の間にルアーロックの回転を防止するように、ルアーロックと接触するように押圧可能な、１組以上の協働するタブ、または、スプリングボード(または、跳ね板、springboard)を含む針ガードシステム、ならびに、このようなシステムを製造する方法および使用する方法に関する。本発明は、さらに、タブおよびスロットシステムを含み、受動的な針ガードが作動した後に、このタブおよびスロットシステムが、延びた状態の位置の針ガードのシールドをロックする受動的な針ガードに関する。
【０００５】
通常、取り付けられた針ガードは、針交換の間に、ユーザがルアーロックを掴み、ルアーロックの回転を防止するように、ルアーロックにアクセするのを妨げる。本発明のタブシステムは、針の交換の間に、針ガードに配置されたタブがルアーロックと接触することにより、ルアーロックの回転を効果的に防止する。タブは、そして、解放することが可能であり、薬剤が投与され、針ガードを作動することが可能であり、針を覆う。
【０００６】
本発明の針ガードは、本体とシールドとを含む。針ガードは、本体とシールドとの間に配置され、シールドを延びた状態の位置にバイアスするよう構成されたばねを更に含んでもよい。本体は、シリンジを収容する（または、受け入れる、receive)ように構成された円柱状の開口部と、シリンジの針が、そこから延在する遠位側開口部とを含む。本体は、本体の遠位端の対向する側面に配置された１組のスプリングボードを更に含む。
【０００７】
シールドは、本体に摺動可能に取り付けられ、近位端および遠位端を有する。最初、シールドを、本体とシールドとに配置された協働するキャッチ（または、留め金、catch）により第１の、引っ込んだ状態の位置(first retracted position)に保持する。この第１の位置では、シリンジの針は、シールドを越えて延在する。シリンジを使用している間に、針ガードが作動し、シールドが遠位側の第２の、延びた状態の位置に移動する。第２の、延びた状態の位置では、シールドはシリンジの針を覆い、これによって偶発的に針が突き刺ささるのを防止する。シールドの遠位端は２以上の対向するタブを含む。シールドが、引っ込んだ状態の位置（第１の位置）にある場合、タブに半径方向または内向きの圧力が加わると、スプリングボードと係合するようにタブは構成されている。タブへの充分な内向きの圧力の付与によって、スプリングボードはルアーロックと接触し、ルアーロックの回転を抑制する。
【０００８】
本発明の針ガードは、受動的な針ガードが作動した後に、シールドを延びた状態の位置にロックするタブおよびスロットシステムを更に含む。本体は、本体の遠位端付近に１組の対向する細長い(elongate)フィンガー(finger)を含む。細長いフィンガーは、細長いフィンガーの近位端に配置されたエンドタブ(endtab)を含む。針ガードのシールドは、シールドの近位端の近傍に配置され、本体のエンドタブを受け入れるように構成された２つの対向するスロットを含む。針ガードが作動し、シールドが延びた状態の位置に移った場合、本体のそれぞれのエンドタブは、シールドの協働するスロットに入り、この結果、シールドを延びた状態の位置にロックする。
【発明を実施するための好ましい形態】
【０００９】
図を参照し、図１は本発明で用いられるシリンジ１０の好ましい実施形態を示す。好ましくは、シリンジ１０は、実質的に壁面が平滑な(smooth walled)円筒状の胴部(barrel)１２と、投与端である遠位端１４またはハブと、フランジ１８を有する近位端１６とを有する。円筒状の胴部１２は、通常、実質的に透明なガラスより作られる。他の態様では、胴部１２は、ポリプロピレン、ｋ−レジン、ポリカーボネイト等のようなプラスチックより作られてもよい。胴部１２の近位端１６は、詳細を以下に示すように、ストッパー２０とプランジャー２４とを受け入れる（または、収容する、receive）ように構成されている。
【００１０】
円筒状の胴部１２の遠位端は、針の差し込み部（またはニードルポート、needle port）３０を含む。針の差し込み部３０は、針３２を取り外し可能に取り付けるように構成されている（図８）。針の取り付け部３０を、また、シリンジを使用する前にシリンジキャップ３６を受け入れるように構成してもよい（図１）。いろいろな直径および長さを有するいくつかの異なるサイズの針３２を取り付けるように、針の差し込み部３０を構成してもよい。針３２を、ルアーコネクタ、ルアースリップ、ルアー、ルアーロックまたは当該技術分野で知られている他の針ホルダーによりシリンジに取り付けてもよい。好ましい実施形態では、針の差し込み口３０は、ルアースリップまたはルアーロック４０を含む（図８）。ルアーロック４０は、針３２を交換できるように構成されており、ユーザ９０は患者（図示せず）の要求を基に最も適切な針３２を用いることができる。ルアーロック４０は、ルアー針４２のねじを切った部分（図示せず）を受け入れるように構成されたねじを切った部分（図示せず）を含む（図１および図８）。
【００１１】
プランジャー２４と、ストッパー２０とを近位端１６で、円筒状の胴部１２の内部に挿入してもよい（図１）。ストッパー２０は、円筒状の胴部１２の内部に摺動可能に取り付けるように構成され、近位位置から遠位位置まで移動可能である。ストッパー２０は、好ましくは、柔軟なゴム、熱硬化性ゴム、プラスチック、または、これらに類似の材料より作られる。ストッパー２０は、遠位端２１と近位端２２とを含む。ストッパー２０の遠位端２１は、シリンジ１０の円筒状の胴部１２に対してシールを形成するように構成されている。近位端２２は、ねじを切った層(threaded layer)（図示せず）を含んでもよい。ねじを切った層は、プランジャー２４の脚部(stem)２５の遠位領域のねじを切った部分（図示せず）を受け入れるように構成されている。プランジャー２４は、脚部２５と、円形要素(radial element)２８またはサムパッド(thumb pad)を含む。動作している間に、ユーザは遠位方向の力を円形要素２８に加え、シリンジ１０に収納されている薬剤を患者に投与する。
【００１２】
好ましい実施形態では、シリンジ１０を、針ガード７０の内部に配置する（図７）。針ガード７０は、参照することにより本明細書に含まれる、同時係属中の２０００年５月５日出願の米国特許出願第０９／５６６，２２４号に開示されているような、受動的な針ガードシステムであってもよい。受動的な針ガードシステム７０は、通常、本体７２と、シールド７４と、ばね７６とを含む。受動的な針ガード７０の本体７２は、シリンジ１０を収容し、そして保持するように構成されている。シールド７４は、摺動可能に本体７２に取り付けられている。本体７２とシールド７４の両方は、概して、ポリプロピレン、ｋ−レジン、ポリカーボネイト等のようなプラスチックより成形される。好ましい実施形態では、本体７２とシールド７４とは、実質的に透明であり、内部にあるシリンジ１０の観察を容易にする。他の態様では、本体７２とシールド７４とは、半透明または不透明でもよく、さらに、ラテックス色(latex color)、肌色、または、原色のような色に着色してもよい。
【００１３】
本体７２は、２つの細長い開口部または窓（図示せず）を規定する対向するサイドレール８０を含んでもよく、サイドレール８０は、本体７２の近位端８３と遠位端８４との間で少なくとも部分的に延在している（図７）。実質的に硬いカラー８５が、本体７２の遠位端に形成されている。カラー８５は、好ましくは実質的に環状の形状を有する。カラー８５は、開口部であって、その中に収容されたシリンジ１０の針３２が、本体７２を越えて遠位側に延在できるための開口部を規定する。本体７２の遠位領域８９は、本体７２の対向する側面のサイドレール８０に配置した１組のタブまたはスプリングボード８６を含む（図８）。スプリングボード８６は、詳細を以下に示すように、内向きに押圧されると、ルアーロック４０に係合し、ルアーロック４０が回転するのを防止するように、構成されている。スプリングボード８６の内面８７は、ルアーロック４０に容易に係合するように、溝または他の表面形態(surface feature)（図示せず）を含んでもよく、あるいは実質的に平坦でもよい。本体７２の遠位領域８９は、また、ばね７６の近位端７７に係合するように構成された１以上の突起部８８を含む。好ましい実施形態では、本体７２の遠位領域８９は、本体７２の対向する側面に配置された１組の遠位側戻り止め（または、ディテント、detent）または細長いフィンガー１２２を含んでもよい（図５）。細長いフィンガー１２２は、詳細を以下に示すように、シールド７４に配置された近位スロット(proximal slot)１０５に係合するように構成されたエンドタブ１２４を含む。
【００１４】
シールド７４は、本体７２に摺動可能に適合するように構成された環状の部材であり、近位端９１と遠位端９２とを有する（図７）。シールド７４は、シールド７４の近位端９１と遠位端９２との間で少なくとも部分的に延在する２つの細長い開口部または窓９４を規定し、対向するサイドレール９３を含んでもよい。シールド７４の近位端９１は、好適には、シールド７４の対向する側面に、２つのフィンガーグリップ(finger grip)、または、突起部９５を含む。フィンガーグリップ９５は、針ガード７０のシリンジ１０に対する移動速度の制御を容易にし得る。別の態様では、シールド７４は、シールド７４の近位端９１の外周または周辺全体を取り囲み伸びる単一のフィンガーグリップ（図示せず）を含んでもよい。
【００１５】
１以上のラッチ部材９６が、シールド７４の近位端９１から近位方向に延在している。ラッチ部材９６は、第１のキャッチ(catch)９７を含んでもよく、第１のキャッチ９７は、針ガード７０の本体７２の近位端８３の第２のキャッチ９８に係合するように構成されている（図５および図６）。第１のキャッチ９７と、第２のキャッチ９８との間の係合は、シールド７４を引っ込んだ状態の位置（第１の位置）に保持する。好ましくは、詳細を以下に示すように、１以上のラッチ部材９６は、プランジャー２４が軸方向に圧迫するように押し込まれ、そして１以上のラッチ部材９６が半径方向外側に変形する（または、撓む、deflect）と、プランジャー２４の円形部材２８が係合できる近位チップ(proximal tip)１０４を有する細長いフィンガーである。シールド７４は、シールド７４の遠位端９２に形成されたカラー１０３を更に含む（図７）。カラー１０３は、開口部であって、シールド７４が引っ込んだ状態の位置（第１の位置）にある場合、その開口部の中に受け入れられているシリンジ１０の針３２が、シールド７４を越えて延在できるための開口部を規定する（図８）。
【００１６】
好ましい実施形態では、シールド７４の近位端９１は、シールド７４の対向する側面に１組の近位開口部またはスロット１０５を含む（図５および図７）。近位スロット１０５は、本体７２に配置されたエンドタブ１２４を受け入れるようなサイズを有する。患者に薬剤を投与している間に、受動的な針ガード７０は、引っ込んだ状態の位置（第１の位置）から、伸びた状態の位置（第２の位置）に移動する。近位スロット１０５とエンドタブ１２４との間の係合は、シールド７４を伸びた状態の位置に「ロック」し、薬剤の投与後にシールド７４が引っ込むのを防止する。
【００１７】
シールド７４は、また、遠位端９２の近傍で、シールド７４の対向する側面に位置する回転防止(anti-rotation)タブ１１０を含む（図１〜図８）。シールド７４が第１の、引っ込んだ状態の位置にある場合、回転防止タブ１１０は、受動的な針ガード７０の本体７２に配置されたスプリングボード８６に接続している（図８）。針の交換、挿入または取り外しの間の、ユーザによる回転防止タブ１１０の内側への押圧は、スプリングボード８６に内向きの力を生じる。この内向きの力は、スプリングボード８６をルアースリップ４０に接触させる。充分な圧力が加わると、スプリングボード８６とルアーロック４０との接触は、ルアーロック４０の回転を抑制する。これにより、針３２の交換、挿入または取り外しのために、ルアーロック４０を使用することが可能となる。ルアーロック４０の回転を防止するこの力を加えないと、ルアーロック４０は回転し、この結果ユーザが適切に針３２を挿入および／または取り外しするのが妨げられるであろう。
【００１８】
受動的な針ガード７０は、好ましくは、また、本体７２とシールド７４とに取り付けられ、シールド７４を伸びた状態の位置にバイアスするばね機構７６を含む（図７、図８）。ばね機構７６は、例えば、本体７２の一方の端末部に隣接したシールド７４の内部、またはシールド７４および／または本体７２により定まる細長い通路の内部に、同心状に配置されるような、本体７２とシールド７４との間に配置された圧縮ばねであってもよい。シールド７４は、ばね機構７６により、シリンジ１０の針３２が露出している第１の、または引っ込んだ状態の位置から、シールド７４が針３２を覆う、第２の、伸びた状態の位置にバイアスしてもよい。１以上のラッチ部材９６が、シールド７４から近位方向に延在し、プランジャー２４の円形部材２８に係合可能である（図１）。１以上のラッチ部材９６の第１のキャッチ９７と、針ガード７０の本体７２の第２のキャッチ９８とは、シールド７４を引っ込んだ状態の位置（第１の位置）に保持するように作動する（図６）。プランジャー２４が、シリンジ１０内部を遠位方向に進むと、プランジャー２４の円形部材またはサムパッド２８は、１以上のラッチ部材９６と接触し、第１のキャッチ９７と第２のキャッチ９８とを解放し得る。この結果、シールド７４は、伸びた状態の位置（第２の位置）に摺動し得る。１以上のラッチ部材９６は、プランジャー２４の円形部材２８に係合するように構成された近位チップ１０４を含んでもよい（図８）。好ましくは、針ガード７０は、また、シールド７４を第２の伸びた状態の位置に保持する１組の協働するスロット１０５とエンドタブ１２４とを含む（図５および図７）。シールド７４が伸びた状態の位置に進むと、本体７２の協働するエンドタブ１２４は、シールド７４に配置されたスロットまたは開口部１０５に入り、この結果、シールド７４を伸びた状態の位置にロックする。従って、シールド７４が伸びた状態の位置に進むように始動すると、シールド７４は、末端位置にロックされ得る。この結果、針３２の再使用を防止し、偶発的な針の突き刺しのリスクを低減し、および／またはシリンジ１０の廃棄を容易にする。
【００１９】
さらに、受動的な針ガード７０は、実質的にシリンジ１０をスロット１１４内に固定するために、受動的な針ガード７０のフィンガーグリップの１以上のロック式戻り止めのようなロック機構を本体の近位端に含んでもよい（図１および図７）。ロック式戻り止め１０８は、シリンジ１０のフランジ１８を受け入れるように構成されている。シリンジ１０を取り付けるように、シリンジ１０の遠位端１４は、針ガード７０の本体７２の近位端８３に挿入してもよい。そして、針ガード７０の近位端８３を、シリンジ１０の近位端１６と組み合わせる（または、に取り付ける、couple)ように、針ガード７０を近位方向に動かしてもよい。針ガード７０の本体７２と、シリンジ１０の近位端１６とは、針ガード７０の本体７２の近位端８３に取り付けた１以上のロック式戻り止め１０８により固定されてもよい。ロック式戻り止め１０８は、テーパーのついた近位縁部を有してもよく、これによりシリンジ１０を遠位側にさらに導くことができ、フランジ１８はロック式戻り止め１０８を脇に動かしてスロット１１４に入る（図１）。ロック式戻り止め１０８は、シリンジ１０がスロット１１４から近位方向に移動するのを防止する、実質的に尖っていない（または、鈍い、blunt）遠位縁部１１１を有し、これにより実質的に恒久的にシリンジ１０を本体７２内にロックし、受動的な針ガード７０内でシリンジ１０が軸方向（すなわち、近位方向および／または遠位方向）に動くのを防止する。
【００２０】
使用に際し、受動的な針ガード７０内に組み込まれたシリンジ１０が与えられ、そしてシリンジキャップ３６がルアーロック４０に接続されている（図１）。受動的な針ガードは、本体７２と、シールド７４とを含み、ばね機構７６を更に含んでもよい。シリンジキャップ３６を取り外すように、ユーザは、針ガード７０のシールド７４に配置された、回転防止タブ１１０を押す。シールド７４が引っ込んだ状態の位置（第１の位置）にある場合、回転防止タブ１１０は、本体７２に配置されたスプリングボード８６と整合(または、整列、align)している。回転防止タブ１１０を押すことで、スプリングボード８６がルアーロックと接触し、ルアーロック４０の回転を防止する。そして、ユーザ９０は、回転防止タブ１１０に加える圧力を維持しながら、ルアー針４２をルアーロック４０にねじ込むことによって、ルアー針４２（好ましくはルアーシース４４で覆われている）をルアーロック４０に取り付ける（図２）。薬剤を投与する直前に、ユーザ９０は、ルアー針４２から針シース４４を取り外す（図３）。
【００２１】
ユーザ９０は、それから、プランジャー２４を遠位方向に押すことにより、選択した患者に薬剤を投与する（図４）。シリンジ１０のプランジャー２４を遠位方向に押すことにより、受動的な針ガード７０が作動する。シールド７４の１以上のラッチ部材９６が横方向に力を受け、第１のキャッチ９７と第２のキャッチ９８とが分離する。ばね機構７６は、そして、受動的な針ガード７０のシールド７４を伸びた状態の位置（第２の位置）に押し出す。
【００２２】
この伸びた状態の位置で、シールド７４は、針３２を覆い、これにより、針が突き刺さること、および／または、シリンジ１０の再使用を防止する。本体７２の遠位端８４の周囲に配置されたエンドタブ１２４は、シールド７４の近位スロット１０５に入り、シールド７４を伸びた状態の位置に固定する。
【００２３】
本発明は、各種の変形および他の形態の変更を受けやすいが、本発明の特定の例を、図および本明細書に詳細に示した。しかしながら、本発明は、開示した特定の形態または方法に限定されるものではなく、それどころか、本発明の精神および添付の特許請求の範囲の技術的範囲に含まれる全ての変形、均等物、他の態様にまで及ぶように意図していることを理解すべきである。
【図面の簡単な説明】
【００２４】
【図１】本発明にかかるシリンジシステムを示す。
【図２】本発明にかかるシリンジシステムの使用方法を示す。
【図３】本発明にかかるシリンジシステムの使用方法を示す。
【図４】本発明にかかるシリンジシステムの使用方法を示す。
【図５】本発明にかかる針ガードを示す。
【図６】本発明にかかる針ガードの側面図を示す。
【図７】本発明にかかる針ガードの上面図である。
【図８】本発明にかかるシリンジシステムの遠位領域の分解図である。
【図１】
2008518678.tif 000003
【図２】
2008518678.tif 000004
【図３】
2008518678.tif 000005
【図４】
2008518678.tif 000006
【図５】
2008518678.tif 000007
【図６】
2008518678.tif 000008
【図７】
2008518678.tif 000009
【図８】
2008518678.tif 000010
【国際調査報告】
2008518678.tif 000011
2008518678.tif 000012
2008518678.tif 000013